(57)【要約】【課題】フェースを開いた状態でも打ちやすくエクスプロージョンショットが行いやすいアイアン型ゴルフクラブヘッドの提供。【解決手段】フェース面、バックフェース６及び上記フェース面と上記バックフェース６との間に配置されたソール面８を有するアイアン型ゴルフクラブヘッド２である。ソール面８が、リーディングエッジ１６側に配置された第１ソール面２０と、トレーリングエッジ１８側に配置された第２ソール面２２とを有している。第１ソール面２０は、上記第１ソール面が、正のソール角を有している。上記第２ソール面２２が、負のソール角を有している。フェース中心位置ｆｃにおける第１ソール面のソール幅ｗｃ１が、ヒール側基準位置ｈｋにおける第１ソール面のソール幅ｗｈ１よりも狭く且つトウ側基準位置ｔｋにおける第１ソール面のソール幅ｗｔ１よりも狭い。【選択図】図４
2008035984.tif 000002
【特許請求の範囲】
【請求項１】
フェース面、バックフェース及びソール面を有し、
フェース中心位置からトウ側に２５ｍｍ隔てた位置をトウ側基準位置とし、フェース中心位置からヒール側に２５ｍｍ隔てた位置をヒール側基準位置としたとき、
上記ソール面が、トウ側基準位置からヒール側基準位置までのトウ・ヒール方向範囲において正のソール角を有しており、
フェース中心位置におけるソール幅（ｗｃ）が、ヒール側基準位置におけるソール幅（ｗｈ）及びトウ側基準位置におけるソール幅（ｗｔ）よりも狭いアイアン型ゴルフクラブヘッド。
【請求項２】
フェース面、バックフェース及びソール面を有し、
フェース中心位置からトウ側に２５ｍｍ隔てた位置をトウ側基準位置とし、フェース中心位置からヒール側に２５ｍｍ隔てた位置をヒール側基準位置としたとき、
上記ソール面が、リーディングエッジ側に配置された第１ソール面と、トレーリングエッジ側に配置された第２ソール面とを有しており、
上記第１ソール面が、トウ側基準位置からヒール側基準位置までのトウ・ヒール方向範囲において正のソール角を有しており、
上記第２ソール面が、トウ側基準位置からヒール側基準位置までのトウ・ヒール方向範囲において負のソール角を有しており、
フェース中心位置における第１ソール面のソール幅（ｗｃ１）が、ヒール側基準位置における第１ソール面のソール幅（ｗｈ１）及びトウ側基準位置における第１ソール面のソール幅（ｗｔ１）よりも狭いアイアン型ゴルフクラブヘッド。
【請求項３】
フェース中心位置における第１ソール面のソール幅（ｗｃ１）が、トウ側基準位置における第１ソール面のソール幅（ｗｔ１）の０．９倍以下であり、且つヒール側基準位置における第１ソール面のソール幅（ｗｈ１）の０．９倍以下である請求項２に記載のアイアン型ゴルフクラブヘッド。
【請求項４】
フェース中心位置における第１ソール面のソール幅（ｗｃ１）が、トウ側基準位置における第１ソール面のソール幅（ｗｔ１）の０．７倍以下であり、且つヒール側基準位置における第１ソール面のソール幅（ｗｈ１）の０．７倍以下である請求項２に記載のアイアン型ゴルフクラブヘッド。
【請求項５】
フェース中心位置、トウ側基準位置及びヒール側基準位置における断面において、第１ソール面の傾斜直線Ｔ１と第２ソール面の傾斜直線Ｔ２との交差角が１３０度以上１７０度以下である請求項２に記載のアイアン型ゴルフクラブヘッド。
【発明の詳細な説明】
【技術分野】
【０００１】
本発明は、アイアン型ゴルフクラブヘッド及びこれを備えたアイアンゴルフクラブに関する。
【背景技術】
【０００２】
アイアン型ゴルフクラブは、地面の上に置かれたボールを打球することが多い。ショットの際、地面と接するのは、ソール面である。ソール面の形状は、ショットの結果に影響を与える。典型的には、ソール面の形状は、抜けの良さ（抜け性能の高さ）に影響を与える。抜け性能が高いヘッドは、ショットの際の接地抵抗が少なく、飛距離や方向性に優れる。  
【０００３】
特開平５−１９２４２５号公報は、ソールにランナーを設けて接地面積を小さくしたアイアン型ゴルフクラブヘッドを開示する。特開２００１−９５９６０号公報は、ソール全体がプラスのソール角とされるとともに、ソールのトウ側又はヒール側のいずれか一方のソール角を、他方のソール角よりも大きく形成したゴルフクラブヘッドを開示する。特開２００５−２８７７４９号公報は、フェース中心位置よりもヒール側のソール面に、トレーリングエッジ側からリーディングエッジ側にいくに従いトウ側からヒール側に向かうように傾斜して延びる溝状部を有するアイアン型ゴルフクラブヘッドを開示する。
【特許文献１】特開平５−１９２４２５号公報
【特許文献２】特開２００１−９５９６０号公報
【特許文献３】特開２００５−２８７７４９号公報
【発明の開示】
【発明が解決しようとする課題】
【０００４】
アイアン型ゴルフクラブにおいて、特に球を高く上げたいときなどは、フェースを開いた状態でショットを行う。このショットは、例えばロブショットにおいて多用される。また、アイアン型ゴルフクラブは、バンカーで使用される。バンカーでは、いわゆるエクスプロージョンショットが多用される。エクスプロージョンショットとは、バンカー内の砂を爆発させて砂ごとボールを打ち出すショットである。
【０００５】
フェースを開いた状態でなされるショットに関して、上記従来技術では十分な検討がなされていなかった。また、特開平５−１９２４２５号公報及び特開２００１−９５９６０号公報に記載されたゴルフクラブヘッドは、バンカーショットにおけるエクスプロージョン効果（砂を爆発させて砂ごとボールを打ち出す効果）が得られにくいものであった。
【０００６】
本発明の目的は、フェースを開いた状態でも打ちやすく、エクスプロージョンショットが行いやすいアイアン型ゴルフクラブヘッドの提供にある。
【課題を解決するための手段】
【０００７】
本発明に係るアイアン型ゴルフクラブヘッドは、フェース面、バックフェース及びソール面を有する。フェース中心位置からトウ側に２５ｍｍ隔てた位置をトウ側基準位置とし、フェース中心位置からヒール側に２５ｍｍ隔てた位置をヒール側基準位置としたとき、上記ソール面が、トウ側基準位置からヒール側基準位置までのトウ・ヒール方向範囲において正のソール角を有している。フェース中心位置におけるソール幅（ｗｃ）は、ヒール側基準位置におけるソール幅（ｗｈ）及びトウ側基準位置におけるソール幅（ｗｔ）よりも狭くされている。
【０００８】
本発明に係る他のアイアン型ゴルフクラブヘッドは、フェース面、バックフェース及びソール面を有する。このソール面は、リーディングエッジ側に配置された第１ソール面と、トレーリングエッジ側に配置された第２ソール面とを有している。フェース中心位置からトウ側に２５ｍｍ隔てた位置をトウ側基準位置とし、フェース中心位置からヒール側に２５ｍｍ隔てた位置をヒール側基準位置としたとき、上記第１ソール面が、トウ側基準位置からヒール側基準位置までのトウ・ヒール方向範囲において正のソール角を有しており、上記第２ソール面が、トウ側基準位置からヒール側基準位置までのトウ・ヒール方向範囲において負のソール角を有している。フェース中心位置における第１ソール面のソール幅（ｗｃ１）は、ヒール側基準位置における第１ソール面のソール幅（ｗｈ１）及びトウ側基準位置における第１ソール面のソール幅（ｗｔ１）よりも狭くされている。
【０００９】
好ましくは、フェース中心位置における第１ソール面のソール幅（ｗｃ１）は、トウ側基準位置における第１ソール面のソール幅（ｗｔ１）の０．９倍以下とされる。好ましくは、フェース中心位置における第１ソール面のソール幅（ｗｃ１）は、ヒール側基準位置における第１ソール面のソール幅（ｗｈ１）の０．９倍以下とされる。
【００１０】
好ましくは、フェース中心位置における第１ソール面のソール幅（ｗｃ１）は、トウ側基準位置における第１ソール面のソール幅（ｗｔ１）の０．７倍以下である。好ましくはフェース中心位置における第１ソール面のソール幅（ｗｃ１）は、ヒール側基準位置における第１ソール面のソール幅（ｗｈ１）の０．７倍以下である。
【００１１】
好ましくは、フェース中心位置、トウ側基準位置及びヒール側基準位置における各断面において、第１ソール面の傾斜直線Ｔ１と第２ソール面の傾斜直線Ｔ２との交差角は１３０度以上１７０度以下とされる。なお、トウ側基準位置及びヒール側基準位置における各断面とは、いずれも後述される基準面Ｐによる断面である。
【発明の効果】
【００１２】
正のソール角により、抜け性能やエクスプロージョン効果が高まる。また、ソール幅を上記の如く規定することにより、フェースを開いた際におけるリーディングエッジの浮きが小さくなり、トップ等のミスショットが抑制される。
【発明を実施するための最良の形態】
【００１３】
以下、適宜図面が参照されつつ、好ましい実施形態に基づいて本発明が詳細に説明される。
【００１４】
図１は、本発明の一実施形態に係るアイアン型ゴルフクラブヘッド２の正面図である。図１は、水平面ｈ上に載置された基準状態における図である。図２は、基準状態のヘッド２を上方から見た図である。図３は、ヘッド２をバックフェース側から見た斜視図である。図４は、ヘッド２をソール面側から見た図である。
【００１５】
なお、ヘッド２の基準状態とは、ヘッド２のシャフト軸線ｚを任意の垂直面ＶＰ１内に配し、且つシャフト軸線ｚを水平面ｈに対してそのライ角αで傾けるとともに、フェース面４を垂直面ＶＰ１に対してそのリアルロフト角で傾けて、水平面ｈに接地させた状態とする（図１及び図２参照）。
【００１６】
本明細書中で特に断りがない場合、ヘッド２は、基準状態に置かれているものとして説明される。また、ヘッド２に関して上下方向ないし高さ方向とは、上記基準状態のヘッド２に関しての上下ないし高さ方向を意味するものとする。ヘッド２のトウ・ヒール方向とは、上記基準状態おけるヘッド２において、上記垂直面ＶＰ１に平行で且つ水平面ｈに平行な方向とする。また、ヘッド２に関して前後方向とは、基準状態のヘッド２において、垂直面ＶＰ１に対して垂直な方向であり、フェース面４側が前側であり、バックフェース６側が後側である。
【００１７】
ヘッド２は、いわゆるウエッジである。ウエッジのリアルロフト角βは、通常、４０度以上６８度以下である。ウエッジとしては、ピッチングウエッジ（ＰＷ）、アプローチウエッジ（ＡＷ）、サンドウエッジ（ＳＷ）、ピッチングサンド（ＰＳ）等が例示される。
【００１８】
ヘッド２は、その全てが金属材料で構成される。この金属材料は特に限定されず、好ましくは軟鉄、ステンレス鋼、マルエージング鋼、純チタン、チタン合金又はアルミニウム合金等の１種又は２種以上とされる。ヘッドの一部に繊維強化樹脂及び／又はアイオノマー樹脂等が用いられてもよい。
【００１９】
ヘッド２は、フェース面４と、バックフェース６と、ソール面８とを有する。ヘッド２は、ホーゼル１０を有する。ホーゼル１０は、シャフト穴１２を有する。フェース面４には、フェースライン１４が設けられている。フェースライン１４は、一定間隔おきに複数本設けられている。フェースライン１４のそれぞれは、トウ・ヒール方向に延びている。フェースライン１４は、溝状である。なお、本願の断面図において、フェースライン１４は適宜省略されている。
【００２０】
ヘッド２は、インパクトエリアマーキングＭを有する。インパクトエリアマーキングＭは、ボールとの摩擦を高めるために設けられる。本実施形態のヘッド２では、インパクトエリアマーキングＭは、フェースライン１４である。インパクトエリアマーキングＭとしては、例えば日本ゴルフ協会が定めたゴルフ規則の付則IIの「５．クラブフェース」の項に記載されているように、フェースライン（溝）及び／又は小さい点状のくぼみであるパンチマーク等が挙げられる。フェース面４は、インパクトエリアマーキングＭを除いて実質的に単一の平面で形成される。つまりヘッド２には、フェースロールやフェースバルジは設けられていない。
【００２１】
インパクトエリアマーキングＭは、その最もトウ側の位置ｅｔと、最もヒール側の位置ｅｈとを有する。インパクトエリアマーキングＭのトウ側の端の位置が異なる場合、位置ｅｔは、その最もトウ側の端である。インパクトエリアマーキングＭのヒール側の端の位置が異なる場合、位置ｅｈは、その最もヒール側の端である。
【００２２】
インパクトエリアマーキング領域長さＥ１（図１参照）は、好ましくは４０ｍｍ以上、より好ましくは５０ｍｍ以上であり、また長さＥ１は、好ましくは９０ｍｍ以下、より好ましくは８０ｍｍ以下、さらに好ましくは７０ｍｍ以下である。このインパクトエリアマーキング領域長さＥ１が小さすぎると、ミスショット時にボールのバックスピン量が低下するおそれがある。この長さＥ１は、位置ｅｔから位置ｅｈまでのトウ・ヒール方向の長さである
【００２３】
本発明において、フェース中心位置ｆｃ、トウ側基準位置ｔｋ及びヒール側基準位置ｈｋが定義される。フェース中心位置ｆｃ、トウ側基準位置ｔｋ及びヒール側基準位置ｈｋは、いずれもトウ・ヒール方向における位置である。フェース中心位置ｆｃは、位置ｅｔと位置ｅｈとを２等分する位置である（図１及び図４参照）。トウ側基準位置ｔｋは、フェース中心位置ｆｃからトウ側に２５ｍｍ隔てた位置である。この「２５ｍｍ」は、トウ・ヒール方向における距離である。ヒール側基準位置ｈｋは、フェース中心位置ｆｃからヒール側に２５ｍｍ隔てた位置である。この「２５ｍｍ」は、トウ・ヒール方向における距離である。
【００２４】
また、本明細書において、ソール面８の形状を断面形状により説明するとき、この断面は、基準状態のヘッド２において、垂直面ＶＰ１に対して垂直であり且つ水平面ｈに対して垂直な平面Ｐである。この平面Ｐを、以下において基準面Ｐともいう。基準面Ｐは、トウ・ヒール方向におけるあらゆる位置で設定されうる。図１等においてＰｔで示されるのは、トウ側基準位置ｔｋにおける基準面である。図１等においてＰｃで示されるのは、フェース中心位置ｆｃにおける基準面である。図１等においてＰｈで示されるのは、ヒール側基準位置ｈｋにおける基準面である。
【００２５】
ソール面８のフェース面４側の縁部は、リーディングエッジ１６を構成している。リーディングエッジ１６は、フェース面４とソール面８との境界をなしている。ソール面８のバックフェース６側の縁部は、トレーリングエッジ１８を構成している。トレーリングエッジ１８は、バックフェース６とソール面８との境界をなしている。リーディングエッジ１６及びトレーリングエッジ１８は、目視されうる稜線を構成している。ソール面８は、フェース面４とバックフェース６との間をヘッド底面側で継ぐ。
【００２６】
なお、ソール面８の前後の輪郭形状が、曲率半径の大きい円弧からなるために明瞭なエッジが特定できない場合は、基準面Ｐによる断面線において最も前方にある点をリーディングエッジ１６とし、基準面Ｐによる断面線においてフェース面４から直角方向に最も離間する位置（フェース面４からの距離が最長である点）をトレーリングエッジ１８とすることができる。
【００２７】
図３及び図４が示すように、ソール面８は、第１ソール面２０と、第２ソール面２２とを有している。第１ソール面２０は、第２ソール面２２よりも前方に位置している。第１ソール面２０は、第２ソール面２２のリーディングエッジ１６側に位置している。第２ソール面２２は、第１ソール面２０よりも後方に位置している。第２ソール面２２は、第１ソール面２０のトレーリングエッジ１８側に位置している。
【００２８】
第１ソール面２０と第２ソール面２２とは、区画線２４により区画されている。第１ソール面２０と第２ソール面２２とは、区画線２４を介して互いに隣接している。典型的な区画線２４は、角を構成している。典型的な区画線２４は、エッジを構成している。区画線２４は、稜線である。区画線２４は、線として目視されうる。区画線２４が不明瞭である場合、基準面Ｐによる断面線において、曲率半径が３．０ｍｍ以下となる部分の中点を区画線２４とすることができる。
【００２９】
図５は、フェース中心位置ｆｃに位置する基準面Ｐによるヘッド２の断面図である。本発明においては、ソール角が定義される。本発明において、ソール角は、基準面Ｐによる断面において決定される。ソール角は、トウ・ヒール方向のあらゆる位置において決定される。即ち、トウ・ヒール方向の各位置において基準面Ｐが存在し、この各基準面Ｐによる断面のそれぞれにおいてソール角が決定される。ソール角は、基準面Ｐによる断面における角度である。
【００３０】
なお、一般に、いわゆるバンス角又はスクープ角のことをソール角とも称する場合がある。この一般に称されることがある「ソール角」は、ソールのトウ・ヒール方向の中心で且つソールの前後方向中心におけるソール面断面の接線角度を意味することがある。これは、本願における「ソール角」の意味と異なる。本願における「ソール角」は、トウ・ヒール方向の各位置においてそれぞれ定まる。更に、本願における「ソール角」は、ソール面が複数の場合は、各ソール面のそれぞれについて定まる。
【００３１】
ソール角は、ソール面が単一である場合はそのソール面について定まり、ソール面が複数である場合は各ソール面のそれぞれについて定まる。ヘッド２の場合、第１ソール面と第２ソール面とを有するので、ソール角は、第１ソール面と第２ソール面のそれぞれについて決定される。図５が示すように、基準面Ｐによる断面において、第１ソール面２０の断面線の中点ｓ１における接線Ｎ１と水平面ｈとのなす角度が、第１ソール面のソール角θ１である。この接線Ｎ１は、第１ソール面の傾斜直線Ｔ１である。基準面Ｐによる断面において、第２ソール面２２の断面線の中点ｓ２における接線Ｎ２と水平面ｈとのなす角度が、第２ソール面のソール角θ２である。この接線Ｎ２が、第２ソール面の傾斜直線Ｔ２である。なお、ここではヘッド２のように第１ソール面と第２ソール面とを有する場合について説明がされたが、ソール面が単一の場合もソール角の定義は同様である。即ちソール面が単一の場合であっても、ソール角は、傾斜直線と水平面ｈとのなす角度である。本発明において、第２ソール面は無くてもよい。
【００３２】
上述したヘッド２のように、基準面Ｐによるソール面の断面が凸曲線である場合、ソール角は、ソール面の断面線の中点における接線と、水平面ｈとのなす角度である。ソール面の断面線が直線である部分に中点が位置する場合、この直線と水平面ｈとのなす角度がソール角である。ソール面が凹面である場合、この凹面の両端を通る傾斜直線Ｔ２と水平面ｈとのなす角度が、ソール角度である。図６は、第２ソール面２３が凹面である場合における、傾斜直線Ｔ２及び第２ソール面のソール角θ２を示している。
【００３３】
ソール角には、正のソール角と、負のソール角とが定義される。図５において、第１ソール面のソール角θ１は、正である。図５において、第２ソール面のソール角θ２は、負である。ソール面の接線（傾斜直線）がヘッド前方にいくほど上方となるように傾斜している場合、ソール角は正である。ソール面の接線（傾斜直線）がヘッド前方に行くほど下方となるように傾斜している場合、ソール角は負である。ソール面の接線（傾斜直線）が水平面ｈと平行である場合、ソール角は０度である。ソール角の単位は、度である。
【００３４】
本発明では、交差角θ３が定義される。ソール角と同様、交差角θ３も、基準面Ｐによる断面において決定される。交差角θ３は、第１ソール面の傾斜直線Ｔ１と第２ソール面の傾斜直線Ｔ２とのなす角度である。図５の実施形態では、交差角θ３は、接線Ｎ１と接線Ｎ２とのなす角度である。交差角θ３の単位は、度である。第１ソール面のソール角θ１が正であり、第２ソール面のソール角θ２が負である場合、交差角θ３は、次の式で計算されうる。ただし、｜ソール角θ２｜は、ソール角θ２の絶対値を示す。
交差角θ３＝１８０−（ソール角θ１＋｜ソール角θ２｜）
【００３５】
第１ソール面のソール角θ１は、トウ側基準位置からヒール側基準位置までのトウ・ヒール方向範囲において正である。この正のソール角により、エクスプロージョン効果や抜け性能が高まる。
【００３６】
エクスプロージョン効果を高くする観点から、第１ソール面のソール角θ１は、２度以上が好ましく、４度以上がより好ましく、６度以上が特に好ましい。抜け性能を高める観点から、第１ソール面のソール角θ１は１８度以下が好ましく、１６度以下がより好ましく、１４度以下が特に好ましい。
【００３７】
第２ソール面のソール角θ２は、トウ側基準位置ｔｋからヒール側基準位置ｈｋまでのトウ・ヒール方向範囲においてソール角θ１よりも小さい。更に、第２ソール面のソール角θ２は、トウ側基準位置ｔｋからヒール側基準位置ｈｋまでのトウ・ヒール方向範囲において負のソール角を有している。第２ソール面のソール角θ２が負であることにより、抜け性能が高まる。
【００３８】
エクスプロージョン効果を高める観点から、第２ソール面のソール角θ２は、−４０度以上が好ましく、−３０度以上がより好ましく、−２５度以上が特に好ましい。抜け性能を高める観点から、第２ソール面のソール角θ２は−２度以下が好ましく、−４度以下がより好ましく、−６度以下が特に好ましい。
【００３９】
本発明では、ソール幅が定義される。ソール幅は、基準面Ｐによる断面線におけるソール面の幅である。ソール幅は、トウ・ヒール方向の各位置において定まる。ソール幅は、基準面Ｐによる断面線におけるソール面の両端間の距離である。
【００４０】
図４においてｗｃ１で示されるのは、フェース中心位置ｆｃにおける第１ソール面のソール幅である。図４においてｗｈ１で示されるのは、ヒール側基準位置における第１ソール面のソール幅である。図４においてｗｔ１で示されるのは、トウ側基準位置における第１ソール面のソール幅である。図４においてｗｃ２で示されるのは、フェース中心位置ｆｃにおける第２ソール面のソール幅である。図４においてｗｈ２で示されるのは、ヒール側基準位置における第２ソール面のソール幅である。図４においてｗｔ２で示されるのは、トウ側基準位置における第２ソール面のソール幅である。
【００４１】
第１ソール面２０に関し、ソール幅ｗｃ１が、ソール幅ｗｈ１よりも狭い。ソール幅ｗｃ１は、ソール幅ｗｔ１よりも狭い。
【００４２】
第２ソール面２２に関し、ソール幅ｗｃ２が、ソール幅ｗｈ２よりも広い。ソール幅ｗｃ２は、ソール幅ｗｔ２よりも広い。
【００４３】
第１ソール面２０と第２ソール面２２とを合わせたソール幅に関し、ソール幅（ｗｃ１＋ｗｃ２）は、ソール幅（ｗｈ１＋ｗｈ２）よりも広い。ソール幅（ｗｃ１＋ｗｃ２）は、ソール幅ｗｔ（ｗｔ１＋ｗｔ２）よりも広い。この構成により、フェースをより大きく開いた状態にあってもリーディングエッジの高さが抑制される。
【００４４】
図７は、フェースを開いた状態とフェースを開いていない状態との差異を説明するため図である。図７で記載されたヘッドは、従来のヘッドである。図７では、フェースを開いた状態におけるヘッドのソール部分等を仮想線で示し、フェースを開いていない状態におけるヘッドを実線で示している。
【００４５】
フェースを開いた状態でアドレスすると、ソール面の最下点ｍｐ２は、フェースを開いていない状態における最下点ｍｐ１と比較してヘッドの後方へと移動する。この最下点の移動に伴い、リーディングエッジの高さが高くなる。即ち、フェースを開いた状態におけるリーディングエッジの高さｈ２は、フェースを開いていない状態におけるリーディングエッジの高さｈ１よりも高くなる。リーディングエッジの高さが高くなると、トップ打ちのミスショットが出やすくなる。
【００４６】
ソール幅ｗｈ１及びｗｔ１よりもソール幅ｗｃ１が狭くされることにより、フェースを開いた状態における最下点ｍｐ２の位置における高さ方向のヘッド肉厚が抑制される。よって、フェースを開いた際にリーディングエッジの高さが高くなることが抑えられる。したがって、トップ打ちのミスショットが抑制される。
【００４７】
フェースを開いた際にリーディングエッジが高くなることを抑制し、トップ打ちを抑制する観点から、比（ｗｃ１／ｗｔ１）及び比（ｗｃ１／ｗｈ１）は、０．９以下が好ましく、０．７以下がより好ましい。エクスプロージョン効果を高める観点から、比（ｗｃ１／ｗｔ１）及び比（ｗｃ１／ｗｈ１）は、０．３以上が好ましく、０．４以上がより好ましい。
【００４８】
ヘッド２の第１ソール面は、そのソール幅が最も狭くなる部分である第１ソール幅最小部分ｗｍを有する。図４の実施形態では、第１ソール幅最小部分ｗｍが、フェース中心位置ｆｃと一致している。第１ソール幅最小部分ｗｍは、トウ・ヒール方向に幅を有していてもよい。
【００４９】
ヘッド２は、トウ側基準位置ｔｋからヒール側基準位置ｈｋまでの範囲内に、特定領域Ｔを有している。図４を参照しつつこの特定領域Ｔについて説明する。特定領域Ｔは、トウ側からフェース中心側へ向かって徐々に又は段階的に第１ソール面のソール幅が狭くなり且つ第１ソール幅最小部分ｗｍへと至るトウ側ソール幅変動部ｔｓと、ヒール側からフェース中心側へ向かって徐々に又は段階的に第１ソール面のソール幅が狭くなり且つ第１ソール幅最小部分ｗｍへと至るヒール側ソール幅変動部ｈｓとを有する領域である。本発明では、かかる特定領域Ｔを有するのが好ましい。トウ側ソール幅変動部ｔｓ及びヒール側ソール幅変動部ｈｓにおいて、上記「徐々に又は段階的に」は、「徐々に」であるのがより好ましい。特定領域Ｔにおいて、第１ソール幅最小部分ｗｍは、フェース中心位置ｆｃと重なっているか、又はフェース中心位置ｆｃからの距離が５ｍｍ以内、より好ましくは３ｍｍ以内に位置しているのが好ましい。特定領域Ｔのトウ・ヒール方向長さは、２０ｍｍ以上が好ましく、３０ｍｍ以上がより好ましく、４０ｍｍ以上が更に好ましく、５０ｍｍが特に好ましい。
【００５０】
フェース中心位置ｆｃ、トウ側基準位置ｔｋ及びヒール側基準位置ｈｋにおける断面（基準面Ｐによる断面）において、交差角θ３は、１３０度以上が好ましく、１４０度以上がより好ましい。交差角θ３が大きくされることにより、第２ソール面が有効に作用し、特にエクスプロージョンショットの際に第２ソール面が有効に作用する。即ち、交差角θ３が大きくされることにより、バンカーショットの際に第２ソール面が砂面に対してより確実に接触することとなり、エクスプロージョン効果が高まる。フェース中心位置ｆｃ、トウ側基準位置ｔｋ及びヒール側基準位置ｈｋにおける断面（基準面Ｐによる断面）において、交差角θ３は、１７０度以下が好ましく、１６０度以下がより好ましい。交差角θ３が小さくされることにより、第２ソール面の接地抵抗が低減され、抜け性能が向上する。
【００５１】
エクスプロージョン効果を高める観点から、フェース中心位置ｆｃにおける第１ソール面のソール幅ｗｃ１は、５ｍｍ以上が好ましく、６ｍｍ以上がより好ましく、８ｍｍ以上が特に好ましい。フェースを開いた状態におけるリーディングエッジの高さを抑制する観点から、ソール幅ｗｃ１は、１５ｍｍ以下が好ましく、１３ｍｍ以下がより好ましく、１１ｍｍ以下が特に好ましい。
【００５２】
エクスプロージョン効果を高める観点から、ソール幅ｗｈ１及びソール幅ｗｔ１は、１０ｍｍ以上が好ましく、１２ｍｍ以上がより好ましく、１５ｍｍ以上が特に好ましい。フェースを開いた状態におけるリーディングエッジの高さを抑制する観点から、ソール幅ｗｈ１及びソール幅ｗｔ１は、３０ｍｍ以下が好ましく、２５ｍｍ以下がより好ましく、２０ｍｍ以下が特に好ましい。
【００５３】
本発明では、第２ソール面は無くてもよい。好ましくは、第２ソール面２２を設けるのがよい。第２ソール面２２を設けることにより、フェースを開いた状態で打球したときの振り抜き時におけるヘッド挙動が安定する。この観点から、ソール幅ｗｃ２（図４参照）は、８ｍｍ以上が好ましく、１０ｍｍ以上がより好ましく、１３ｍｍ以上が特に好ましい。同様の観点から、ソール幅ｗｔ２及びソール幅ｗｈ２は、３ｍｍ以上が好ましく、４ｍｍ以上がより好ましく、６ｍｍ以上が特に好ましい。
【００５４】
第２ソール面２２のソール幅が過度に広すぎると、フェースを開いた状態で打球しにくくなる。この観点から、ソール幅ｗｃ２（図４参照）は、２３ｍｍ以下が好ましく、２０ｍｍ以下がより好ましく、１８ｍｍ以下が特に好ましい。同様の観点から、ソール幅ｗｔ２及びソール幅ｗｈ２は、１５ｍｍ以下が好ましく、１２ｍｍ以下がより好ましく、１０ｍｍ以下が特に好ましい。
【００５５】
本発明のアイアン型ゴルフクラブヘッドは、バンカーにおけるエクスプロージョンショットやロブショット等に適している。よって、本発明のアイアン型ゴルフクラブヘッドは、バンカーショットやロブショットにおいて多用される番手に適用されるのが好ましい。この観点から、ヘッドのリアルロフト角は、４５度以上が好ましく、５０度以上がより好ましく、５２度以上が特に好ましい。なお、アイアン型ゴルフクラブヘッドのリアルロフト角は、通常６８度以下、更には６６度以下である。
【００５６】
前述したように、本発明において、第２ソール面は無くても良い。第２ソール面がなく、ソール面が単一である場合、前述した第１ソール面に対する記載は、全てこの単一のソール面に対して適用される。例えば、第１ソール面のソール幅に関する記載の全ては、上記ソール幅ｗｃ１を、フェース中心位置における単一ソールのソール幅（ｗｃ）に置き換えても成立する。同様に、第１ソール面のソール幅に関する記載の全ては、上記ソール幅ｗｈ１を、ヒール側基準位置における単一ソールのソール幅（ｗｈ）に置き換えても成立する。同様に、第１ソール面のソール幅に関する記載の全ては、上記ソール幅ｗｔ１を、トウ側基準位置における単一ソールのソール幅（ｗｔ）に置き換えても成立する。
【実施例】
【００５７】
以下、実施例によって本発明の効果が明らかにされるが、この実施例の記載に基づいて本発明が限定的に解釈されるべきではない。
【００５８】
本発明の効果を確認すべく、実施例１〜８及び比較例１、２からなる１０種類の評価用クラブを作製し、実打テストを行った。
［実施例１］
軟鉄（Ｓ２５Ｃ）を鍛造してフェースラインを刻印し、表面研磨及びメッキを施すことにより、実施例１に係るアイアン型ゴルフクラブヘッドを得た。リアルロフト角は５８度とされ、ヘッド重量は３００ｇとされた。インパクトエリアマーキング領域長さＥ１は、５２ｍｍとされた。このヘッドにスチールシャフトを装着し、更にグリップを装着することにより、実施例１に係るアイアン型ゴルフクラブを得た。シャフトには、ダイナミックゴールド社製のＳ４００を用いた。グリップには、イートン社製のツアーベルベット（コード無し、バックライン無し）を用いた。クラブ長さは、３５インチとされた。実施例１の仕様と評価結果が、下記の表１で示される。
【００５９】
［実施例２〜８及び比較例１、２］
ソールの仕様が下記の表１の如くされた以外は実施例１と同様にして、実施例２〜８及び比較例１、２に係るゴルフクラブを得た。
【００６０】
なお表１において、第１ソール面のソール角θ１のうち、トウ側基準位置ｔｋにおけるソール角度θ１をθ１ｔと表記し、ヒール側基準位置ｈｋにおけるソール角度θ１をθ１ｈと表記し、フェース中心位置ｆｃにおけるソール角度θ１をθ１ｃと表記した。全ての実施例及び全ての比較例において、θ１ｔ＝θ１ｈ＝θ１ｃ＝８度とされた。また表１において、第２ソール面のソール角θ２のうち、トウ側基準位置ｔｋにおけるソール角度θ２をθ２ｔと表記し、ヒール側基準位置ｈｋにおけるソール角度θ２をθ２ｈと表記し、フェース中心位置ｆｃにおけるソール角度θ２をθ２ｃと表記した。また交差角θ３のうち、トウ側基準位置ｔｋにおける交差角θ３をθ３ｔと表記し、ヒール側基準位置ｈｋにおける交差角θ３をθ３ｈと表記し、フェース中心位置ｆｃにおける交差角θ３をθ３ｃと表記した。
【００６１】
［評価方法］
１０名のプロゴルファーにより、各クラブで１０ヤード離れたピンを狙って、バンカーショット及び芝上でのロブショットを行った。各ゴルファーが、各クラブで、バンカーショットを５球ずつ、ロブショットを５球ずつ打球した。ボールは、ＳＲＩスポーツ株式会社製の「ＳＲＩＸＯＮ  Ｚ−ＵＲ」を用いた。
【００６２】
芝上でのロブショットによる評価では、「ボールの拾いやすさ」、「抜けの良さ」及び「距離感」の３項目が評価された。各評価項目において、１０点法により１０段階の官能評価がなされた。評価が最も高いものに１０点が付与され、評価が高いものほど１〜１０点のうち高い評価点が付与された。１０名のゴルファーの評価点の平均点（小数点以下を四捨五入）が、下記の表１で示される。なお、「ボールの拾いやすさ」は、「トップのし難さ」と言い換えることができる。「ボールの拾いやすさ」の評価点数が高いほどトップ打ちのミスショットが出にくい。また、「抜けの良さ」の評価点数が高いほど、抜け性能が高い。
【００６３】
【表１】
2008035984.tif 000003
【００６４】
表に示されるように、実施例は、比較例に比べて評価が高い。この評価結果から、本発明の優位性は明らかである。
【産業上の利用可能性】
【００６５】
本発明は、あらゆるアイアン型ゴルフクラブヘッドに適用されうる。
【図面の簡単な説明】
【００６６】
【図１】図１は、本発明の一実施形態に係るアイアン型ゴルフクラブヘッドを前方から見た図である。
【図２】図２は、図１のアイアン型ゴルフクラブヘッドを上方から見た図である。
【図３】図３は、図１のアイアン型ゴルフクラブヘッドをバックフェース側から見た斜視図である。
【図４】図４は、図１のアイアン型ゴルフクラブヘッドをソール面側かた見た図である。
【図５】図５は、フェース中心位置における図１のアイアン型ゴルフクラブヘッドの断面図である。
【図６】図６は、変形例の断面図である。
【図７】図７は、フェースを開いた状態と、フェースを開いていない状態との差異について説明するための図である。
【符号の説明】
【００６７】
２・・・ヘッド
４・・・フェース面
６・・・バックフェース
８・・・ソール面
１０・・・ホーゼル
１２・・・シャフト穴
１４・・・フェースライン
１６・・・リーディングエッジ
１８・・・トレーリングエッジ
２０・・・第１ソール面
２２・・・第２ソール面
Ｐｔ・・・トウ側基準位置における基準面
Ｐｃ・・・フェース中心位置における基準面
Ｐｈ・・・ヒール側基準位置における基準面
ｔｋ・・・トウ側基準位置
ｆｃ・・・フェース中心位置
ｈｋ・・・ヒール側基準位置
ｗｔ１・・・トウ側基準位置における第１ソール面のソール幅
ｗｃ１・・・フェース中心位置における第１ソール面のソール幅
ｗｈ１・・・ヒール側基準位置における第１ソール面のソール幅
ｗｔ２・・・トウ側基準位置における第２ソール面のソール幅
ｗｃ２・・・フェース中心位置における第２ソール面のソール幅
ｗｈ２・・・ヒール側基準位置における第２ソール面のソール幅
Ｍ・・・インパクトエリアマーキング
ｚ・・・シャフト軸線
θ１・・・第１ソール面のソール角
θ２・・・第２ソール面のソール角
θ３・・・交差角   
【図１】
2008035984.tif 000004
【図２】
2008035984.tif 000005
【図３】
2008035984.tif 000006
【図４】
2008035984.tif 000007
【図５】
2008035984.tif 000008
【図６】
2008035984.tif 000009
【図７】
2008035984.tif 000010